(57)【要約】本発明は液晶ディスプレイ及び移動端末に関し、表示技術分野に属する。液晶ディスプレイは、薄膜トランジスタＴＦＴアレイガラス基板と、カラーフィルターと、ＴＦＴアレイガラス基板とカラーフィルターとの間に位置する液晶層と、液晶層に隣接しないカラーフィルターの側面に位置する上部偏光板と、液晶層に隣接しないＴＦＴアレイガラス基板の側面に位置する下部偏光板と、を含み、液晶層は支持体アレイ及び透明電極をさらに含み、支持体アレイと透明電極はそれぞれ液晶層においてＴＦＴアレイガラス基板及びカラーフィルターに隣接する表面に位置し、支持体アレイと透明電極との間には液晶が充填されている。本発明は液晶層における支持体アレイ及び透明電極により、液晶ディスプレイにおいてタッチ感知に加えて第３次元の圧力感知を検出することを実現し、検出した圧力値により更に多い機能を実現することができ、マンマシンインタラクションを向上させる。【選択図】図１
2017528774.tif 000002
【特許請求の範囲】
【請求項１】
薄膜トランジスタＴＦＴアレイガラス基板と、
カラーフィルターと、
前記ＴＦＴアレイガラス基板と前記カラーフィルターとの間に位置する液晶層と、
前記液晶層に隣接しない前記カラーフィルターの側面に位置する上部偏光板と、
前記液晶層に隣接しない前記ＴＦＴアレイガラス基板の側面に位置する下部偏光板と、
を含み、
前記液晶層は支持体アレイ及び透明電極をさらに含み、前記支持体アレイと前記透明電極はそれぞれ前記液晶層において前記ＴＦＴアレイガラス基板及び前記カラーフィルターに隣接する表面に位置し、前記支持体アレイと前記透明電極との間には液晶が充填されていることを特徴とする液晶ディスプレイ。
【請求項２】
前記支持体アレイは前記液晶層において前記ＴＦＴアレイガラス基板に隣接する表面に位置し、前記透明電極は前記液晶層においてカラーフィルターに隣接する表面に位置することを特徴とする請求項１に記載の液晶ディスプレイ。
【請求項３】
前記支持体アレイは前記液晶層において前記カラーフィルターに隣接する表面に位置し、前記透明電極は前記液晶層においてＴＦＴアレイガラス基板に隣接する表面に位置することを特徴とする請求項１に記載の液晶ディスプレイ。
【請求項４】
前記透明電極は複数本の横方向に平行配列する透明電極及び／又は縦方向に平行配列する透明電極により構成されることを特徴とする請求項１に記載の液晶ディスプレイ。
【請求項５】
横方向に平行配列する各透明電極の間にプリセット距離を隔てることを特徴とする請求項４に記載の液晶ディスプレイ。
【請求項６】
縦方向に平行配列する各透明電極の間にプリセット距離を隔てることを特徴とする請求項４に記載の液晶ディスプレイ。
【請求項７】
前記液晶ディスプレイは制御チップをさらに含み、
前記透明電極は前記制御チップに電気的に接続されることを特徴とする請求項１に記載の液晶ディスプレイ。
【請求項８】
前記液晶ディスプレイはバックライトをさらに含み、
前記バックライトは前記ＴＦＴアレイガラス基板に隣接しない前記下部偏光板の側面に位置することを特徴とする請求項１に記載の液晶ディスプレイ。
【請求項９】
プロセッサと、
液晶ディスプレイと、
を含む移動端末であって、
前記液晶ディスプレイは、薄膜トランジスタＴＦＴアレイガラス基板と、カラーフィルターと、前記ＴＦＴアレイガラス基板と前記カラーフィルターとの間に位置する液晶層と、前記液晶層に隣接しない前記カラーフィルターの側面に位置する上部偏光板と、前記液晶層に隣接しない前記ＴＦＴアレイガラス基板の側面に位置する下部偏光板と、を含み、前記液晶層は支持体アレイ及び透明電極をさらに含み、前記支持体アレイと前記透明電極はそれぞれ前記液晶層において前記ＴＦＴアレイガラス基板及び前記カラーフィルターに隣接する表面に位置し、前記支持体アレイと前記透明電極との間には液晶が充填されており、
前記プロセッサは、前記支持体アレイと前記透明電極との間の電気容量値を検出するのに用いられ、検出した前記電気容量値に基づき、操作体が前記液晶ディスプレイに作用する圧力値を確定することを特徴とする移動端末。
【発明の詳細な説明】
【技術分野】
【０００１】
本願は出願番号がＣＮ２０１５１０４９３６７６．３であり、出願日が２０１５年０８月１２日である中国特許出願に基づいて提出され、該中国特許出願の優先権を主張し、該中国特許出願の全ての内容はここで参考として本願に援用される。
【０００２】
本発明は表示技術分野に関し、特に液晶ディスプレイ及び移動端末に関する。
【背景技術】
【０００３】
液晶ディスプレイ技術の発展に伴って、液晶ディスプレイが有する機能は徐々に多くなり、タッチ位置の感知を実現することができる。液晶ディスプレイに１層のタッチパネルを増設し、タッチパネルにおける電気容量の変化を検出することにより電気容量の変化が発生する座標位置を確定し、ユーザーが液晶ディスプレイをタッチする位置を確定することができる。該方法は液晶ディスプレイにおいて２次元座標を確定する方法のみを提供し、３次元座標における圧力感知を提供することができない。
【発明の概要】
【発明が解決しようとする課題】
【０００４】
かかる技術の問題を解決するために、本発明は液晶ディスプレイ及び移動端末を提供する。
【課題を解決するための手段】
【０００５】
本発明の実施例の第１態様によれば、
薄膜トランジスタＴＦＴアレイガラス基板と、
カラーフィルターと、
前記ＴＦＴアレイガラス基板と前記カラーフィルターとの間に位置する液晶層と、
前記液晶層に隣接しない前記カラーフィルターの側面に位置する上部偏光板と、
前記液晶層に隣接しない前記ＴＦＴアレイガラス基板の側面に位置する下部偏光板と、
を含む液晶ディスプレイを提供している。
【０００６】
前記液晶層は支持体アレイ及び透明電極をさらに含み、前記支持体アレイと前記透明電極はそれぞれ前記液晶層において前記ＴＦＴアレイガラス基板及び前記カラーフィルターに隣接する表面に位置し、前記支持体アレイと前記透明電極との間には液晶が充填されている。
【０００７】
前記支持体アレイは前記液晶層において前記ＴＦＴアレイガラス基板に隣接する表面に位置し、前記透明電極は前記液晶層においてカラーフィルターに隣接する表面に位置することが好ましい。
【０００８】
前記支持体アレイは前記液晶層において前記カラーフィルターに隣接する表面に位置し、前記透明電極は前記液晶層においてＴＦＴアレイガラス基板に隣接する表面に位置することが好ましい。
【０００９】
前記透明電極は複数本の横方向に平行配列する透明電極及び／又は縦方向に平行配列する透明電極により構成されることが好ましい。
【００１０】
横方向に平行配列する各透明電極の間にプリセット距離を隔てることが好ましい。
【００１１】
縦方向に平行配列する各透明電極の間にプリセット距離を隔てることが好ましい。
【００１２】
前記液晶ディスプレイは制御チップをさらに含み、
前記透明電極は前記制御チップに電気的に接続されることが好ましい。
【００１３】
前記液晶ディスプレイはバックライトをさらに含み、
前記バックライトは前記ＴＦＴアレイガラス基板に隣接しない前記下部偏光板の側面に位置することが好ましい。
【００１４】
本発明の実施例の第２態様によれば、
プロセッサと、
液晶ディスプレイと、
を含む移動端末を提供している。
【００１５】
前記液晶ディスプレイは、薄膜トランジスタＴＦＴアレイガラス基板と、カラーフィルターと、前記ＴＦＴアレイガラス基板と前記カラーフィルターとの間に位置する液晶層と、前記液晶層に隣接しない前記カラーフィルターの側面に位置する上部偏光板と、前記液晶層に隣接しない前記ＴＦＴアレイガラス基板の側面に位置する下部偏光板と、を含み、前記液晶層は支持体アレイ及び透明電極をさらに含み、前記支持体アレイと前記透明電極はそれぞれ前記液晶層において前記ＴＦＴアレイガラス基板及び前記カラーフィルターに隣接する表面に位置し、前記支持体アレイと前記透明電極との間には液晶が充填されており、
【００１６】
前記プロセッサは、前記支持体アレイと前記透明電極との間の電気容量値を検出するのに用いられ、検出した前記電気容量値に基づき、操作体が前記液晶ディスプレイに作用する圧力値を確定する。
【発明の効果】
【００１７】
本発明の実施例により提供される技術案は下記のような有益な効果を含むことができる。
【００１８】
液晶ディスプレイの液晶層に設置された透明電極及び液晶層における支持体アレイを通じて、透明電極及び支持体アレイから形成されたコンデンサにより、液晶ディスプレイにおける圧力値を確定することができ、液晶ディスプレイにおいてタッチ感知に加えて第３次元の圧力感知を検出することを実現し、検出した圧力値により更に多い機能を実現することができ、マンマシンインタラクションを向上させる。
【００１９】
ここで理解すべきことは、以上の一般的な説明と後の詳細な説明は例示的なものに過ぎず、本発明を限定するものではない。
【図面の簡単な説明】
【００２０】
ここの図面は明細書に合せられ本明細書の一部を構成し、本発明に適合する実施例を示し、明細書と共に本発明の原理を解釈するのに用いられる。
【００２１】
【図１】一例示的な実施例により示された液晶ディスプレイの模式図である。
【図２】一例示的な実施例により示された液晶ディスプレイにおける液晶層の構造を示すフローチャートである。
【図３】一例示的な実施例により示された液晶ディスプレイにおける他の液晶層の構造を示すフローチャートである。
【図４】一例示的な実施例により示された液晶ディスプレイにおける透明電極が複数本の横方向に平行配列する透明電極により構成されるときの構造を示す模式図である。
【図５】一例示的な実施例により示された液晶ディスプレイにおける透明電極が複数本の縦方向に平行配列する透明電極により構成されるときの構造を示す模式図である。
【図６】一例示的な実施例により示された液晶ディスプレイにおける透明電極が複数本の横方向に平行配列する透明電極と複数本の縦方向に平行配列する透明電極により構成されるときの構造を示す模式図である。
【図７】一例示的な実施例により示された移動端末のブロック図である。
【発明を実施するための形態】
【００２２】
ここで例示的な実施例について詳しく説明し、その実例は図面に示す通りである。下記の説明が図面に関わる時、別途に表示されない限り、異なる図面における同じ数字は同じ又は類似する要素を表示する。以下の例示的な実施例に説明される実施形態は本発明と一致する全ての実施形態を表すわけではない。逆に、それらは特許請求の範囲に詳細に記載された本発明の一部の態様と一致する装置と方法の例に過ぎない。
【００２３】
図１は、一例示的な実施例により示された液晶ディスプレイの模式図であり、該液晶ディスプレイ１００は、ＴＦＴ（Ｔｈｉｎ  Ｆｉｌｍ  Ｔｒａｎｓｉｓｔｏｒ、薄膜トランジスタ）アレイガラス基板１０１と、カラーフィルター１０２と、ＴＦＴアレイガラス基板１０１とカラーフィルター１０２との間に位置する液晶層１０３と、液晶層１０３に隣接しないカラーフィルター１０２の側面に位置する上部偏光板１０４と、及び液晶層１０３に隣接しないＴＦＴアレイガラス基板１０１の側面に位置する下部偏光板１０５とを含む。
【００２４】
液晶層１０３は支持体アレイ１０３１及び透明電極１０３２をさらに含み、支持体アレイ１０３１と透明電極１０３２はそれぞれ液晶層１０３においてＴＦＴアレイガラス基板１０１とカラーフィルター１０２に隣接する表面に位置し、支持体アレイ１０３１と透明電極１０３２との間には液晶が充填される。
【００２５】
本発明の実施例において支持体アレイ１０３１と透明電極１０３２の液晶層１０３における位置を限定しないことが好ましい。支持体アレイ１０３１は液晶層１０３とＴＦＴアレイガラス基板１０１及びカラーフィルター１０２との間のいずれかの側に位置することができ、それに応じて、透明電極１０３２は支持体アレイ１０３１に対向し液晶層１０３とＴＦＴアレイガラス基板１０１及びカラーフィルター１０２との間の他側に位置する。
【００２６】
よって、図２に示すように、該図は液晶層１０３の構造の模式図を示し、支持体アレイ１０３１と透明電極１０３２の設置方式は、
支持体アレイ１０３１は液晶層１０３においてＴＦＴアレイガラス基板１０１に隣接する表面に位置し、透明電極１０３２は液晶層１０３においてカラーフィルター１０２に隣接する表面に位置するとすることができる。
【００２７】
さらに、図３に示すように、該図は液晶層１０３の構造の模式図を示し、支持体アレイ１０３１と透明電極１０３２の設置方式はさらに、
支持体アレイ１０３１は液晶層１０３においてカラーフィルター１０２に隣接する表面に位置し、透明電極１０３２は液晶層１０３においてＴＦＴアレイガラス基板１０１に隣接する表面に位置するとすることができる。
【００２８】
本発明の実施例において透明電極１０３２は一つの透明電極であってもよく、複数本の透明電極により構成されてもよい。
【００２９】
状況１の場合、透明電極１０３２は一つの透明電極である。
【００３０】
液晶層１０３において支持体アレイ１０３１が透明電極１０３２と直接に接触せず、支持体アレイ１０３１と透明電極１０３２との間には一定の空間距離が存在する。電源が入った後、支持体アレイ１０３１と透明電極１０３２はコンデンサを構成する。液晶ディスプレイ１００が押圧されないとき支持体アレイ１０３１と透明電極１０３２との距離は一定（誤差を無視）であることにより、電源が入った後支持体アレイ１０３１と透明電極１０３２により形成したコンデンサの電気容量値も相対的に変わらないものである。よって、液晶ディスプレイ１００が押圧されないとき支持体アレイ１０３１と透明電極１０３２により形成したコンデンサの電気容量値を予め検出することができ、該電気容量値を液晶ディスプレイ１００が押圧されるか否かを判断する参考根拠とする。
【００３１】
そのうち、支持体アレイ１０３１と透明電極１０３２により形成したコンデンサの電気容量値を検出する方式は、透明電極１０３２が制御チップに電気的に接続され、制御チップにより透明電極１０３２に検出コマンドを送信し、透明電極１０３２により現在の電圧値を検出し、検出した電圧に基づき所定の公式により現在の支持体アレイ１０３１と透明電極１０３２により形成したコンデンサの電気容量値を計算し得ることである。
【００３２】
そのうち、制御チップは液晶ディスプレイ１００における一つのデバイスであり、それに応じて、液晶ディスプレイ１００は制御チップ１０６をさらに含み、透明電極１０３２は制御チップ１０６に電気的に接続される。そのうち、制御チップはＭＣＵ（Ｍｉｃｒｏ  Ｃｏｎｔｒｏｌｌｅｒ  Ｕｎｉｔ、マイクロ制御ユニット）であってもいい。そのうち、ＭＣＵはＡ／Ｄ変換器をさらに含み、透明電極１０３２において検出した電圧値信号をアナログ信号からデジタル信号に変換し、最後電気容量値を計算し得る。
【００３３】
制御チップは液晶ディスプレイ１００におけるデバイスに属しなくてもよく、移動端末における独立のデバイスに属することが好ましい。
【００３４】
状況２の場合、透明電極１０３２は複数本の透明電極である。
【００３５】
以下の三つの配列状況であってもいい。
【００３６】
透明電極１０３２は複数本の横方向に平行配列する透明電極により構成され、
透明電極１０３２は複数本の縦方向に平行配列する透明電極により構成され、
透明電極１０３２は複数本の横方向に平行配列する透明電極と複数本の縦方向に平行配列する透明電極により構成され、
そのうち、横方向に平行配列する各透明電極の間にプリセット距離を隔てて、又は、縦方向に平行配列する各透明電極の間にプリセット距離を隔てる。
【００３７】
液晶層１０３において支持体アレイ１０３１は透明電極１０３２のうちの各透明電極と直接に接触せず、支持体アレイ１０３１と透明電極１０３２のうちの各透明電極との間には一定の空間距離が存在する。電源が入った後支持体アレイ１０３１と透明電極１０３２の各透明電極によりコンデンサを構成し、相応的に複数の透明電極が複数のコンデンサに対応する。液晶ディスプレイ１００が押圧されないとき支持体アレイ１３０１と透明電極１０３２のうちの各透明電極との距離は一定（誤差を無視）であることにより、電源が入った後支持体アレイ１３０１と透明電極１０３２のうちの各透明電極により形成した各コンデンサの電気容量値も相対的に変わらないものである。よって、液晶ディスプレイ１００が押圧されないとき支持体アレイ１０３１と透明電極１０３２のうちの各透明電極により形成したコンデンサの電気容量値を予め検出することができ、最後各透明電極の電気容量値を液晶ディスプレイ１００が押圧されるか否かを判断する参考根拠とする。そのうち、一般的な状況において支持体アレイ１０３１と透明電極１０３２のうちの各透明電極との間の距離は全て同じであり、よって押圧されないとき支持体アレイ１０３１と透明電極１０３２のうちの各透明電極により形成したコンデンサの電気容量値は全て同じであることができ、一つの透明電極の電気容量値を計算して液晶ディスプレイ１００が押圧されないときの電気容量値とすることができる。
【００３８】
現在の状況において、制御チップが設置される必要があり、各透明電極は制御チップに電気的に接続され、制御チップにより各透明電極に検出コマンドを送信し、各透明電極により現在の電圧値を検出し、検出した電圧に基づき所定の公式により現在の支持体アレイ１０３１と透明電極１０３２のうちの各透明電極により形成したコンデンサの電気容量値を計算し得る。
【００３９】
制御チップにより各透明電極に検出コマンドを送信する方式は、第１周期により、各透明電極に検出コマンドを順に１行ずつ送信してもよく、第２周期により、各透明電極に検出コマンドを同時に送信してもよいことが好ましい。同時に検出コマンドを送信する場合、各透明電極から返信したデータを処理するために、制御チップにおいて複数のＡ／Ｄ変換器を有する必要がある。
【００４０】
制御チップにより各透明電極に検出コマンドを送信する時間は液晶ディスプレイ１００が消去時間にあるときであり、このように液晶ディスプレイ１００のスキャンによる干渉を避けることができることが好ましい。
【００４１】
図４に示すように、図において透明電極１０３２が複数本の横方向に平行配列する透明電極により構成されるときの模式図を示しており、
図５に示すように、図において透明電極１０３２が複数本の縦方向に平行配列する透明電極により構成されるときの模式図を示しており、
図６に示すように、透明電極１０３２が複数本の横方向に平行配列する透明電極と複数本の縦方向に平行配列する透明電極により構成されるときの模式図である。
【００４２】
なお、支持体アレイ１０３１における各支持体はカラーフィルター１０２におけるサブピクセルの間のＢＭ（Ｂｌａｃｋ  Ｍａｔｒｉｘ、ブラックマトリックス）領域及び各サブピクセルの間の間隔領域に対応する位置にあることにより、各透明電極の位置が設置される場合、各透明電極をそれと平行する位置において支持体アレイ１０３１が存在する位置に置く必要がある。
【００４３】
透明電極１０３２が複数本の横方向に平行配列する透明電極と複数本の縦方向に平行配列する透明電極により構成される場合、各透明電極に対応する行識別子又は列識別子を予め設定することができ、そのうち各透明電極の横方向に平行配列する又は縦方向に平行配列する配列方式に対し行と列は相応的に設置されることが好ましい。そのうち、行識別子又は列識別子に基づき液晶ディスプレイ１００において各透明電極の位置を予め確定することができる。
【００４４】
制御チップが各透明電極により検出した電圧値を取得した場合、各透明電極に対応する行識別子又は列識別子をさらに確定することができる。よって、検出した透明電極の電気容量値と液晶ディスプレイ１００が押圧されないときに検出した電気容量値とが異なる場合、透明電極に対応する行識別子又は列識別子に基づき、液晶ディスプレイ１００における押圧位置を確定することができる。
【００４５】
本発明の実施例において透明電極１０３２により一つの電気容量値を検出した後、予め設定した電気容量値と圧力値との間の対応関係により、操作体が液晶ディスプレイ１００に作用する押圧圧力値を確定することができる。
【００４６】
本発明の実施例において透明電極１０３２における複数の透明電極により複数の電気容量値を検出した後、複数の電気容量値のうちから一つの電気容量値を選択し、例えば、最大の電気容量値を選択することができ、予め設定した電気容量値と圧力値との間の対応関係により、液晶ディスプレイ１００における押圧圧力を確定する。ユーザーが液晶ディスプレイ１００を押圧するとき、液晶ディスプレイ１００における応力が均一でないことにより、確定された操作体の押圧位置に基づき押圧位置に対応する複数の領域をさらに選択し、異なる領域において一つ又は複数の電気容量値を選択することができ、各領域における圧力値をそれぞれ計算し、最後に今回液晶ディスプレイが操作体により押圧される過程において押圧位置に対応する複数の領域における複数の圧力値を確定することが好ましい。
【００４７】
本発明の実施例において、図１に示すように、液晶ディスプレイ１００はバックライト１０７をさらに含むことが好ましく、
バックライト１０７はＴＦＴアレイガラス基板１０１に隣接しない下部偏光板１０５の側面に位置する。
【００４８】
液晶ディスプレイ１００がＬＣＤ（Ｌｉｑｕｉｄ  Ｃｒｙｓｔａｌ  Ｄｉｓｐｌａｙ、液晶ディスプレイ）である場合、液晶ディスプレイ１００はバックライト１０７を含み、液晶ディスプレイ１００がＯＬＥＤ（Ｏｒｇａｎｉｃ  Ｌｉｇｈｔ−Ｅｍｉｔｔｉｎｇ  Ｄｉｏｄｅ、有機発光ダイオード）である場合、液晶ディスプレイ１００はバックライト１０７を含まないことが好ましい。
【００４９】
本発明の実施例において液晶ディスプレイの液晶層に設置された透明電極及び液晶層における支持体アレイを通じて、透明電極及び支持体アレイから形成されたコンデンサにより、液晶ディスプレイにおける圧力値を確定することができ、液晶ディスプレイにおいてタッチ感知に加えて第３次元の圧力感知を検出することを実現し、検出した圧力値により更に多い機能を実現することができ、マンマシンインタラクションを向上させる。
【００５０】
図７は一例示的な実施例により示された移動端末のブロック図であり、図７を参照する。
【００５１】
該移動端末は、プロセッサ７０１と、液晶ディスプレイ７０２とを含み、
液晶ディスプレイ７０２は、薄膜トランジスタＴＦＴアレイガラス基板と、カラーフィルターと、ＴＦＴアレイガラス基板とカラーフィルターとの間に位置する液晶層と、液晶層に隣接しないカラーフィルターの側面に位置する上部偏光板と、及び液晶層に隣接しないＴＦＴアレイガラス基板の側面に位置する下部偏光板とを含み、液晶層は支持体アレイ及び透明電極をさらに含み、支持体アレイと透明電極はそれぞれ液晶層においてＴＦＴアレイガラス基板とカラーフィルターに隣接する表面に位置し、支持体アレイと透明電極との間には液晶が充填されている。
【００５２】
プロセッサ７０１は、支持体アレイと透明電極との間の電気容量値を検出するのに用いられ、検出した電気容量値に基づき、操作体が液晶ディスプレイ７０２に作用する圧力値を確定する。
【００５３】
本発明の実施例において液晶ディスプレイの液晶層に設置された透明電極及び液晶層における支持体アレイを通じて、透明電極及び支持体アレイから形成されたコンデンサにより、液晶ディスプレイにおける圧力値を確定することができ、液晶ディスプレイにおいてタッチ感知に加えて第３次元の圧力感知を検出することを実現し、検出した圧力値により更に多い機能を実現することができ、マンマシンインタラクションを向上させる。
【００５４】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない本技術分野における公知知識又は慣用の技術手段を含む。明細書と実施例は例示的なものに過ぎず、本発明の実際の範囲と精神は特許請求の範囲により与えられる。
【００５５】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
2017528774.tif 000003
【図２】
2017528774.tif 000004
【図３】
2017528774.tif 000005
【図４】
2017528774.tif 000006
【図５】
2017528774.tif 000007
【図６】
2017528774.tif 000008
【図７】
2017528774.tif 000009
【国際調査報告】
2017528774.tif 000010
2017528774.tif 000011
2017528774.tif 000012
2017528774.tif 000013